(57)【要約】【課題】ＭＡＣ  ＣＥ等の優先度の高い制御信号を、それ以外のデータと多重して送信する。【解決手段】移動通信システムにおける無線基地局において、ユーザ装置に送信する所定の制御信号が発生する場合に、当該所定の制御信号の送信を保留する手段と、前記所定の制御信号が発生する時点から所定期間が経過する前に、下りデータが発生した場合に、前記所定の制御信号と当該下りデータを多重して前記ユーザ装置に送信する手段とを備える。【選択図】図４
2014165704.tif 000002
【特許請求の範囲】
【請求項１】
移動通信システムにおける無線基地局であって、
ユーザ装置に送信する所定の制御信号が発生する場合に、当該所定の制御信号の送信を保留する手段と、
前記所定の制御信号が発生する時点から所定期間が経過する前に、下りデータが発生した場合に、前記所定の制御信号と当該下りデータを多重して前記ユーザ装置に送信する手段と
を備えることを特徴とする無線基地局。
【請求項２】
前記所定の制御信号が発生する時点から、下りデータの発生がなく前記所定期間が経過した時点で、前記所定の制御信号を前記ユーザ装置に送信する手段
を備えることを特徴とする請求項１に記載の無線基地局。
【請求項３】
前記所定の制御信号がランダムアクセスレスポンス送信時に発生する場合には、当該所定の制御信号の送信を保留せず、当該所定の制御信号を前記ユーザ装置に送信する
ことを特徴とする請求項１又は２に記載の無線基地局。
【請求項４】
移動通信システムにおける無線基地局であって、
所定の閾値以下の下りデータがバッファに滞留していることを検知した場合に、当該下りデータのユーザ装置への送信を保留する手段と、
前記検知した時点から所定期間が経過する前に、所定の制御信号が発生した場合に、当該所定の制御信号と前記下りデータを多重して前記ユーザ装置に送信する手段と
を備えることを特徴とする無線基地局。
【請求項５】
前記検知した時点から、前記所定の制御信号が発生せずに前記所定期間が経過した場合に、前記下りデータを前記ユーザ装置に送信する手段
を備えることを特徴とする請求項４に記載の無線基地局。
【請求項６】
移動通信システムにおける無線基地局であって、
所定の制御信号を周期的タイミングで生成し、ユーザ装置に送信する手段と、
下りデータが発生した場合に、前記所定の制御信号を生成し、当該下りデータと当該所定の制御信号とを多重して前記ユーザ装置に送信する送信制御手段と、を備え、
前記送信制御手段は、前記所定の制御信号が前記ユーザ装置に送信された時点から所定期間が経過する前に前記下りデータが発生した場合、前記所定の制御信号を生成することなく、当該下りデータの送信を行う
ことを特徴とする無線基地局。
【請求項７】
前記送信制御手段は、前記所定の制御信号が前記ユーザ装置に送信された時点から前記所定期間が経過した後に下りデータが発生した場合でも、当該下りデータが発生した時点での送信可能データ量が所定の閾値より小さい場合には、前記所定の制御信号を生成しない
ことを特徴とする請求項６に記載の無線基地局。
【請求項８】
移動通信システムにおける無線基地局が実行する送信制御方法であって、
ユーザ装置に送信する所定の制御信号が発生する場合に、当該所定の制御信号の送信を保留するステップと、
前記所定の制御信号が発生する時点から所定期間が経過する前に、下りデータが発生した場合に、前記所定の制御信号と当該下りデータを多重して前記ユーザ装置に送信するステップと
を備えることを特徴とする送信制御方法。
【請求項９】
移動通信システムにおける無線基地局が実行する送信制御方法であって、
所定の閾値以下の下りデータがバッファに滞留していることを検知した場合に、当該下りデータのユーザ装置への送信を保留するステップと、
前記検知した時点から所定期間が経過する前に、所定の制御信号が発生した場合に、当該所定の制御信号と前記下りデータを多重して前記ユーザ装置に送信するステップと
を備えることを特徴とする送信制御方法。
【請求項１０】
移動通信システムにおける無線基地局が実行する送信制御方法であって、
所定の制御信号を周期的タイミングで生成し、ユーザ装置に送信するステップと、
下りデータが発生した場合に、前記所定の制御信号を生成し、当該下りデータと当該所定の制御信号とを多重して前記ユーザ装置に送信する送信制御ステップと、を備え、
前記送信制御ステップにおいて、前記所定の制御信号が前記ユーザ装置に送信された時点から所定期間が経過する前に前記下りデータが発生した場合、前記所定の制御信号を生成することなく、当該下りデータの送信を行う
ことを特徴とする送信制御方法。
【発明の詳細な説明】
【技術分野】
【０００１】
本発明は、ＬＴＥ等の移動通信システムにおける無線基地局に関するものであり、特に、当該無線基地局が優先度の高い制御信号をユーザ装置に送信する技術に関連するものである。
【０００２】
なお、本明細書及び特許請求の範囲において、「ＬＴＥ」は、３ＧＰＰのリリース８、又は９に対応する通信方式のみならず、３ＧＰＰのリリース１０、１１、又は１２に対応する通信方式も含む意味で使用する。
【背景技術】
【０００３】
ＬＴＥにおいて、ユーザ装置ＵＥがデータを送受信する際には、無線基地局ｅＮＢとの間でＵＬ（上り）同期が維持されている必要がある。ＵＬ同期が維持されていない場合には、ユーザ装置ＵＥはＲＡＣＨ（Ｒａｎｄｏｍ  Ａｃｃｅｓｓ  Ｃｈａｎｎｅｌ）以外のＵＬ送信をすることができない（例えば、非特許文献１参照）。
【０００４】
ＵＬ同期が維持されているか否かは、ユーザ装置ＵＥが管理するＴｉｍｅ  Ａｌｉｇｎｍｅｎｔ  Ｔｉｍｅｒ（ＴＡタイマ）が起動されているか否かで判定される。ＴＡタイマが起動されていない場合には、ユーザ装置ＵＥは、ＵＬ送信を行うためにはランダムアクセス手順を起動する必要がある。
【０００５】
ユーザ装置ＵＥにおけるＴＡタイマは、ネットワーク（具体的には無線基地局ｅＮＢ）からＴＡ  （Ｔｉｍｉｎｇ  Ａｄｖａｎｃｅ）コマンドを受信した場合に、（再）起動する。従って、ユーザ装置ＵＥをスケジューリングできる状態に維持しておくために、「ＮＷが定期的にＴＡコマンドを送信してＴＡタイマを起動した状態に維持する」という制御が採用される。
【０００６】
すなわち、図１に示すように、無線基地局ｅＮＢにおいてＴＡコマンド送信タイマが動作しており、当該タイマが満了するたびにＴＡコマンドが送信され、それをユーザ装置ＵＥが受信することで、ユーザ装置ＵＥにおけるＵＬ同期を維持する。なお、本明細書において、このように周期的にＴＡコマンドを生成する制御のことを周期的ＴＡ（Ｐｅｒｉｏｄｉｃ  ＴＡ）と呼び、ＴＡコマンドを生成するタイミングになったことを周期的ＴＡが発生したと呼ぶ場合がある。
【先行技術文献】
【非特許文献】
【０００７】
【非特許文献１】３ＧＰＰ  ＴＳ  ３６．３２１
【発明の概要】
【発明が解決しようとする課題】
【０００８】
ＬＴＥでは、サブフレーム（＝１ＴＴＩ）単位で、信号の優先度等に基づきスケジューリングがなされ、ユーザ装置ＵＥにリソースが割り当てられて下り（上り）送信が行われる。ＴＡコマンドは、最優先でスケジューリングされるＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）により送信される。
【０００９】
しかし、１ＴＴＩでスケジューリングできるユーザ数は制限されており、最優先でスケジューリングされるＭＡＣ  ＣＥを単体で送信するユーザが多いと、１ＴＴＩでＭＡＣ  ＣＥを持つユーザばかりがスケジューリングされ、その他のデータを持つユーザをなかなかスケジューリングすることができないという問題がある。また、スケジューリングの都度、ＤＬ（下り）制御チャネル（ＰＤＣＣＨ）がユーザ装置ＵＥに送信されるため、ＰＤＣＣＨのオーバーヘッドが大きくなるという問題がある。すなわち、ＭＡＣ  ＣＥ単体で送信するユーザが多い場合、セル内容量が減少するという問題がある。
【００１０】
図２は、ユーザ装置ＵＥが散発データを受信する場合を示す図である。図２に示すように、散発データを持つユーザ装置ＵＥはＭＡＣ  ＣＥとＤＬデータを多重できる可能性が低く、無線基地局ｅＮＢは、ＭＡＣ  ＣＥを単体で送信するケースが多くなり、上記の問題が生じる。
【００１１】
ＭＡＣ  ＣＥとＤＬデータが同一のサブフレーム（１ＴＴＩ）で発生する場合（つまり、多重される場合）には、これらについては１スケジューリングでリソース割り当てが行われるので、ＰＤＣＣＨのオーバーヘッドが少なくなるとともに、ＤＬデータについてのリソースが割り当てられる可能性が高くなる。
【００１２】
本発明は上記の点に鑑みてなされたものであり、無線基地局において、ＭＡＣ  ＣＥ等の優先度の高い制御信号を、それ以外のデータと多重して送信することを可能にする技術を提供することを目的とする。
【課題を解決するための手段】
【００１３】
上記の課題を解決するために、本発明は、移動通信システムにおける無線基地局であって、ユーザ装置に送信する所定の制御信号が発生する場合に、当該所定の制御信号の送信を保留する手段と、前記所定の制御信号が発生する時点から所定期間が経過する前に、下りデータが発生した場合に、前記所定の制御信号と当該下りデータを多重して前記ユーザ装置に送信する手段とを備えることを特徴とする無線基地局として構成される。
【００１４】
本発明は、移動通信システムにおける無線基地局であって、所定の閾値以下の下りデータがバッファに滞留していることを検知した場合に、当該下りデータのユーザ装置への送信を保留する手段と、前記検知した時点から所定期間が経過する前に、所定の制御信号が発生した場合に、当該所定の制御信号と前記下りデータを多重して前記ユーザ装置に送信する手段とを備えることを特徴とする無線基地局として構成することもできる。
【００１５】
また、本発明は、移動通信システムにおける無線基地局であって、所定の制御信号を周期的タイミングで生成し、ユーザ装置に送信する手段と、下りデータが発生した場合に、前記所定の制御信号を生成し、当該下りデータと当該所定の制御信号とを多重して前記ユーザ装置に送信する送信制御手段と、を備え、前記送信制御手段は、前記所定の制御信号が前記ユーザ装置に送信された時点から所定期間が経過する前に前記下りデータが発生した場合、前記所定の制御信号を生成することなく、当該下りデータの送信を行うことを特徴とする無線基地局として構成することもできる。また、本発明は、前記無線基地局が実行する送信制御方法として構成することもできる。
【発明の効果】
【００１６】
本発明によれば、ＭＡＣ  ＣＥ等の優先度の高い制御信号を、それ以外のデータと多重して送信することが可能となり、セル内容量の低減を回避することができる。
【図面の簡単な説明】
【００１７】
【図１】ＴＡコマンドを説明するための図である。
【図２】ユーザ装置ＵＥが散発データを受信する場合を示す図である。
【図３】本発明の実施の形態に係る移動通信システムの構成図である。
【図４】第１の実施の形態における制御内容を説明するための図である。
【図５】本発明の実施の形態に係る無線基地局ｅＮＢの機能構成図である。
【図６】第１の実施の形態における無線基地局ｅＮＢの処理手順例を示すフローチャートである。
【図７】第２の実施の形態における制御内容を説明するための図である。
【図８】第２の実施の形態における無線基地局ｅＮＢの処理手順例を示すフローチャートである。
【図９】第３の実施の形態における制御内容を説明するための図である。
【図１０】第３の実施の形態における無線基地局ｅＮＢの処理手順例を示すフローチャートである。
【発明を実施するための形態】
【００１８】
以下、図面を参照して本発明の実施の形態を説明する。なお、以下で説明する実施の形態は一例に過ぎず、本発明が適用される実施の形態は、以下の実施の形態に限られるわけではない。例えば、以下では移動通信システムの例としてＬＴＥを用いているが、本発明は、ＬＴＥに限らず適用可能である。また、スケジューリングの優先度の高い制御信号の例としてＭＡＣ  ＣＥを示しているが、本発明を適用できる制御信号は、ＭＡＣ  ＣＥに限られるわけではない。
【００１９】
図３に本発明の実施の形態に係る移動通信システムの構成図を示す。本実施の形態に係る移動通信システムは、ＬＴＥ方式の通信システムであり、図３に示すように、セルを形成する無線基地局ｅＮＢと、ユーザ装置ＵＥとを含む。
【００２０】
本実施の形態においては、発生したＭＡＣ  ＣＥを、ＤＬデータと出来るだけ多重して送信することを基本としている。ただし、ＭＡＣ  ＣＥの発生タイミングとＤＬデータの発生タイミングが必ずしも一致するとは限らないため、ＭＡＣ  ＣＥとＤＬデータを強制的に多重（ｐａｃｋｉｎｇ）することとしている。なお、「ＤＬデータ」とは、ＭＡＣ  ＣＥ以外の下りのユーザ装置ＵＥ宛のデータである。また、ＭＡＣ  ＣＥとＤＬデータを「多重して送信する」とは、ＭＡＣ  ＣＥとＤＬデータを、スケジューリング単位である１ＴＴＩ（１サブフレーム）内で送信することを意味する。
【００２１】
本実施の形態では、３つの多重方法を提案しており、各方法について、以下のように第１〜第３の実施の形態として説明する。
【００２２】
第１の実施の形態：ＭＡＣ  ＣＥの送信を保留（ｐｅｎｄｉｎｇ）させる方法。
【００２３】
第２の実施の形態：ＤＬデータの送信を保留（ｐｅｎｄｉｎｇ）させる方法。
【００２４】
第３の実施の形態：ＤＬデータ発生時に、ＴＡコマンドを生成する方法。
【００２５】
（第１の実施の形態）
＜処理内容＞
第１の実施の形態では、無線基地局ｅＮＢにおいて、ＭＡＣ  ＣＥが発生しても、すぐには送信せず、所定期間ＤＬデータが発生するか否かを監視し、ＤＬデータが発生した時点で多重して送信する。ＭＡＣ  ＣＥが発生し、所定期間ＤＬデータが発生しない場合には、ＤＬデータとの多重をあきらめて、当該ＭＡＣ  ＣＥを単独で送信する。なお、「ＭＡＣ  ＣＥが発生する場合」とは、例えば、ＭＡＣ  ＣＥとして送信する制御信号（制御データ）が生成され、バッファ（記憶手段）に蓄積されたこと、及び、ＭＡＣ  ＣＥが生成されたか否かに関わらずＭＡＣ  ＣＥを送信すべきタイミングになったことの両方の意味を含む。
【００２６】
図４を参照して、第１の実施の形態における具体的な制御内容について説明する。第１の実施の形態では、ＭＡＣ  ＣＥとしてＴＡコマンドを例として示すが、本実施の形態においてＭＡＣ  ＣＥとして送信される信号はＴＡコマンドに限られない。ＭＡＣ  ＣＥであればどのような信号でもよい。例えば、ＤＲＸコマンド、３ＧＰＰ規格書のリリース１０で導入されたＡｃｔｉｖａｔｉｏｎ／Ｄｅａｃｔｉｖａｔｉｏｎでもよい。その場合、下記の保留タイマの値はＭＡＣ  ＣＥ種別毎に異なっていてもよい。
【００２７】
図４のＡ、Ｂに示すように、無線基地局ｅＮＢにおいて、ＴＡコマンド送信タイマの満了のたびに、ＴＡコマンドが周期的に生成される。そして、ＴＡコマンドが生成された場合に、当該ＴＡコマンドの送信を保留（Ｐｅｎｄｉｎｇ）して、バッファに保持したままとし、保留タイマ（Ｐｅｎｄｉｎｇ  Ｔｉｍｅｒ）を起動する。保留タイマの起動中は、ＤＬデータの発生を監視する（図４のＣ等）。保留タイマは、途中で停止しなければ、起動してから所定期間経過後に満了するタイマであり、所定期間の計測に用いられる。
【００２８】
図４のＤに示すように、保留タイマを起動中に、ＤＬデータが発生した場合に、当該ＴＡコマンドの送信を決定し、ＭＡＣ  ＣＥとＤＬデータの送信を行い、保留タイマを停止する。ここで、上記「送信を行う」とは、ＤＬ送信についてのスケジューリングを行い、ユーザ装置ＵＥにＤＬリソースを割り当て、割り当てたリソースでＭＡＣ  ＣＥとＤＬデータを多重して送信することである。ＴＡコマンドは優先順位が高いので、優先的にスケジューリングで割り当てられ送信される。ＤＬデータについては、１回のスケジューリングで、ＴＡコマンドとともに全部送信できる場合もあるし、１回のスケジューリングでは全部を送信できない場合もある。
【００２９】
図４のＥに示すように、ＤＬデータが発生することなく保留タイマが満了した場合、Ｂの時点で保留していたＴＡコマンドの送信を決定し、送信する。
【００３０】
なお、上記の例では、ＴＡコマンド送信タイマの満了によりＴＡコマンドが生成された場合に、その送信を保留（バッファに保持）することとしているが、これに代えて、ＴＡコマンド送信タイマの満了によるＴＡコマンドの送信タイミングにおいてＴＡコマンドを生成せず、保留タイマを起動し、保留タイマ起動中のＤＬデータ発生、もしくは、保留タイマ満了時に、ＴＡコマンドを生成し、送信することとしてもよい。
【００３１】
尚、前記ＴＡコマンド送信タイマはＲａｎｄｏｍ  Ａｃｃｅｓｓ手順時において起動・再起動されてもよい。具体的には、Ｒａｎｄｏｍ  Ａｃｃｅｓｓ手順中のＲａｎｄｏｍ  Ａｃｃｅｓｓ  Ｒｅｓｐｏｎｓｅ（ランダムアクセスレスポンス）を送信したタイミングでもよいし、Ｒａｎｄｏｍ  Ａｃｃｅｓｓ  Ｒｅｓｐｏｎｓｅで指定するＵＬ  ｇｒａｎｔに対応するＰＵＳＣＨ受信のタイミングでもよい。また、Ｒａｎｄｏｍ  Ａｃｃｅｓｓ手順中のＲａｎｄｏｍ  Ａｃｃｅｓｓ  ＲｅｓｐｏｎｓｅにおいてＴＡコマンドが発生するが、この場合は保留タイマを停止してもよい。即ち、Ｒａｎｄｏｍ  Ａｃｃｅｓｓ  ＲｅｓｐｏｎｓｅによるＴＡコマンド送信においては保留タイマの制御が行われなくとも良い。言い換えると、所定の制御信号（ＴＡコマンド）がＲａｎｄｏｍ  Ａｃｃｅｓｓ  Ｒｅｓｐｏｎｓｅ送信時に発生する場合には、当該所定の制御信号の送信を保留せず、当該所定の制御信号をユーザ装置に送信してもよい。
【００３２】
＜装置構成、処理フロー＞
図５に、本発明の実施の形態に係る無線基地局ｅＮＢの機能構成図を示す。図５に示す構成は、第１〜第３の実施の形態に共通の構成である。本実施の形態、及び第２、第３の実施の形態では、図５に示す無線基地局ｅＮＢは、それぞれの実施の形態での処理を行う機能を有するものとする。つまり、第１の実施の形態では、図５に示す構成の無線基地局ｅＮＢが、第１の実施の形態の処理を行う機能を持ち、第２の実施の形態では、図５に示す構成の無線基地局ｅＮＢが、第２の実施の形態の処理を行う機能を持ち、第３の実施の形態では、図５に示す構成の無線基地局ｅＮＢが、第３の実施の形態の処理を行う機能を持つ。
【００３３】
ただし、図５に示す無線基地局ｅＮＢは、第１〜第３の実施の形態の全ての機能を備えることとしてもよい。その場合、図５に示す無線基地局ｅＮＢは、第１〜第３の実施の形態のいずれの制御でも行うことができる。また、この場合、無線基地局ｅＮＢは、第１〜第３の実施の形態の制御を同時に行うこともできる。例えば、ＭＡＣ  ＣＥの種別毎に異なる方法の制御を行うことで、第１〜第３の実施の形態の制御を同時に行う。
【００３４】
図５に示すように、無線基地局ｅＮＢは、ＤＬ信号送信部１０１、ＵＬ信号受信部１０２、ＭＡＣ  ＣＥ生成部１０３、ＤＬデータ滞留量管理部１０４、タイマ管理部１０５、制御部１０６を備える。なお、図５は、無線基地局ｅＮＢにおいて本発明に特に関連する機能部のみを示すものであり、少なくともＬＴＥ方式に準拠した動作を行うための図示しない機能も有するものである。
【００３５】
本実施の形態において、ＵＬ信号受信部１０２は、ユーザ装置ＵＥから各種の上り信号を受信し、受信した物理レイヤの信号からより上位のレイヤの情報を取得する機能を含み、ＤＬ信号送信部１０１は、各種信号を生成し、ユーザ装置ＵＥに対して送信する機能を含む。ＤＬ信号送信部１０１はスケジューラも含む。
【００３６】
ＭＡＣ  ＣＥ生成部１０３は、各種のＭＡＣ  ＣＥを生成する機能を含む。この機能は、周期的にＴＡコマンドを送信する機能も含む。ＤＬデータ滞留量管理部１０４は、ＤＬデータを格納するバッファを備えるとともに、ＤＬデータの発生（ＤＬデータがバッファに格納されたこと）を監視する機能や、ＤＬデータの滞留量を計測し、取得する機能を備える。タイマ管理部１０５は、各種タイマ（第１の実施の形態では、少なくともＴＡコマンド送信タイマ、保留タイマ）を備え、その起動、満了等を管理することで、所定期間の計測を行う。制御部１０６は、ＭＡＣ  ＣＥ送信の決定等の送信制御を実行する機能を有する。
【００３７】
上記の構成を備える本実施の形態に係る無線基地局ｅＮＢは、少なくとも、ユーザ装置に送信する所定の制御信号（ＴＡコマンド等）が発生する場合に、当該所定の制御信号の送信を保留する手段と、前記所定の制御信号が発生する時点から所定期間が経過する前に、下りデータが発生した場合に、前記所定の制御信号と当該下りデータを多重して前記ユーザ装置に送信する手段とを備える。また、前記所定の制御信号が発生する時点から、下りデータの発生がなく前記所定期間が経過した時点で、前記所定の制御信号を前記ユーザ装置に送信する手段を備える。
【００３８】
図６は、第１の実施の形態における無線基地局ｅＮＢの処理手順例（１サブフレーム当たりの処理手順例）を示すフローチャートである。図６を参照して第１の実施の形態における無線基地局ｅＮＢの処理手順例を説明する。なお、図６の例は、ＭＡＣ  ＣＥが発生する場合（例：ＴＡコマンドの送信タイミングになったとき）に、保留タイマを起動する動作を行うことを前提としている。
【００３９】
無線基地局ｅＮＢの制御部１０６は、ＤＬデータ滞留量管理部１０４を参照することにより、ＤＬデータが発生したか否かを判定する（ステップ１０１）。ＤＬデータが発生した場合（ステップ１０１のＹｅｓ）、制御部１０６は、タイマ管理部１０５における保留タイマが起動中であるかどうかをチェックし（ステップ１０２）、起動中である場合（ステップ１０２のＹｅｓ）、ＤＬ信号送信部１０１に、ＭＡＣ  ＣＥとＤＬデータを多重して送信させ、保留タイマを停止する（ステップ１０３）。
【００４０】
ステップ１０２において、保留タイマが起動中でない場合（ステップ１０２のＮｏ）、ＤＬ信号送信部１０１に、ＤＬデータを送信させる（ステップ１０４）。
【００４１】
ステップ１０１において、ＤＬデータが発生していない場合（ステップ１０１のＮｏ）、保留タイマが起動中であるかどうかをチェックする（ステップ１０５）。保留タイマが起動中である場合（ステップ１０５のＹｅｓ）、ＭＡＣ  ＣＥ送信を保留する（ステップ１０６）。保留タイマが起動中でない場合（ステップ１０５のＮｏ）、ＤＬ信号送信部６０１に、ＭＡＣ  ＣＥを送信させる（ステップ１０７）。
【００４２】
（第２の実施の形態）
＜処理内容＞
次に、第２の実施の形態について説明する。第２の実施の形態では、無線基地局ｅＮＢにおいてユーザ装置ＵＥへのＤＬデータが発生しても、すぐには送信せず、所定期間ＭＡＣ  ＣＥが発生するか否かを監視し、ＭＡＣ  ＣＥが発生した時点でＭＡＣ  ＣＥとＤＬデータとを多重して送信する。ＭＡＣ  ＣＥが所定期間発生しない場合、ＭＡＣ  ＣＥとの多重を諦めてＤＬデータを送信する。
【００４３】
図７を参照して、第２の実施の形態における具体的な制御内容について説明する。本実施の形態において適用できるＭＡＣ  ＣＥの種別に限定はないが、特定のＭＡＣ  ＣＥ（例えば、ＴＡコマンド）のみを対象としてもよい。
【００４４】
本実施の形態では、無線基地局ｅＮＢは、ＤＬデータのバッファ滞留量を監視しており、滞留しているＤＬデータの総量が閾値以下となった場合（所定の閾値以下の下りデータがバッファに滞留していることを検知した場合）に、当該ＤＬデータの送信を保留し、保留タイマを起動する。もし、ＤＬデータがバッファにない状態で、上記閾値以下のＤＬが発生した（バッファに蓄積された）場合には、すぐに保留タイマを起動することになる。図７のＡ、Ｂは、後者の場合を示している。保留タイマ起動中は、ＤＬデータを送信しない。なお、保留タイマ起動中に、滞留しているＤＬデータの総量が閾値を超えた場合（追加のデータが発生した場合）には、保留タイマを停止する。つまり、ＤＬデータ送信を行う。保留タイマは、途中で停止しなければ、起動してから所定期間経過後に満了するタイマであり、所定期間の計測に用いられる。
【００４５】
無線基地局ｅＮＢは、保留タイマ起動中にＭＡＣ  ＣＥが発生したかどうか（生成されたかどうか）を監視し、図７のＣに示すように、ＭＡＣ  ＣＥが発生した場合に、ＤＬデータの送信を決定し、ＭＡＣ  ＣＥとＤＬデータとを多重して送信するとともに、保留タイマを停止する。
【００４６】
図７のＤに示すように、ＭＡＣ  ＣＥが発生しないまま保留タイマが満了した場合（所定期間が経過した場合）、ＤＬデータの送信を決定し、ＤＬデータの送信を行う。
【００４７】
本実施の形態における制御は、特定の論理チャネル（Ｌｏｇｉｃａｌ  ｃｈａｎｎｅｌ：ＬＣＨ）のＤＬデータに対してのみ適用されてもよい。例えば、ＳＲＢ（Ｓｉｇｎａｌｌｉｎｇ  Ｒａｄｉｏ  Ｂｅａｒｅｒ、制御用の無線ベアラ）、音声には非適用とし、Ｂｅｓｔ  Ｅｆｆｏｒｔデータは適用することとしてよい。また、本実施の形態の制御が適用されるＬＣＨ毎に閾値が設定されてもよい。
【００４８】
また、例えば、ＤＬデータが発生しない状態が所定時間以上続く場合には、通常通りにＭＡＣ  ＣＥを送信することとしてもよい。
【００４９】
尚、Ｒａｎｄｏｍ  Ａｃｃｅｓｓ手順が発生し、手順中のＲａｎｄｏｍ  Ａｃｃｅｓｓ  ＲｅｓｐｏｎｓｅにてＴＡコマンドが送信される場合には、起動中の保留タイマは停止されてもよい。
【００５０】
＜装置構成、処理フロー＞
第２の実施の形態における無線基地局ｅＮＢの装置構成は図５に示したとおりである。  本実施の形態において、ＵＬ信号受信部１０２は、ユーザ装置ＵＥから各種の上り信号を受信し、受信した物理レイヤの信号からより上位のレイヤの情報を取得する機能を含み、ＤＬ信号送信部１０１は、各種信号を生成し、ユーザ装置ＵＥに対して送信する機能を含む。ＤＬ信号送信部１０１はスケジューラも含む。
【００５１】
ＭＡＣ  ＣＥ生成部１０３は、各種のＭＡＣ  ＣＥを生成する機能を含む。この機能は、周期的にＴＡコマンドを送信する機能も含む。ＤＬデータ滞留量管理部１０４は、ＤＬデータを格納するバッファを備えるとともに、ＤＬデータの発生（ＤＬデータがバッファに格納されたこと）を監視する機能や、ＤＬデータの滞留量を計測し、取得する機能を備える。タイマ管理部１０５は、各種タイマ（第２の実施の形態では、少なくとも保留タイマ）を備え、その起動、満了等を管理することで、所定期間の計測を行う。制御部１０６は、ＭＡＣ  ＣＥ送信の決定等の送信制御を実行する機能を有する。
【００５２】
上記の構成を備える本実施の形態に係る無線基地局ｅＮＢは、少なくとも、所定の閾値以下の下りデータがバッファに滞留していることを検知した場合に、当該下りデータのユーザ装置への送信を保留する手段と、前記検知した時点から所定期間が経過する前に、所定の制御信号が発生した場合に、当該所定の制御信号と前記下りデータを多重して前記ユーザ装置に送信する手段とを備える。また、前記検知した時点から、前記所定の制御信号が発生せずに前記所定期間が経過した場合に、前記下りデータを前記ユーザ装置に送信する手段を備える。
【００５３】
図８のフローチャートを参照して、第２の実施の形態における無線基地局ｅＮＢの処理手順例を説明する。図８は、ＤＬデータがある場合における１サブフレームあたりの処理手順を示すものである。
【００５４】
制御部１０６は、ＤＬデータ滞留量管理部１０４を参照することにより、ＤＬデータがあり、その総量が所定の閾値以下かどうか判定する（ステップ２０１）。閾値より大きなＤＬデータがある場合（ステップ２０１のＮｏ）、ＤＬ信号送信部１０１にＤＬデータを送信させる（ステップ２０２）。
【００５５】
ステップ２０１で、ＤＬデータの総量が所定の閾値以下である場合（ステップ２０１のＹｅｓ）、制御部１０６は、ＭＡＣ  ＣＥ生成部１０３によりＭＡＣ  ＣＥが生成されているか否かを判定する（ステップ２０３）。なお、ＤＬデータ総量が閾値より大きい状態からステップ２０１の時点で閾値以下になった場合、もしくは、ＤＬデータがない状態からステップ２０１の時点で閾値以下のＤＬデータがある状態になった場合、ステップ２０１の時点で保留タイマを起動する。また、ステップ２０１の時点で、保留タイマが起動していて、ＤＬデータ総量が閾値以下の状態から閾値より大きい状態になった場合、保留タイマを停止する。
【００５６】
ステップ２０３においてＭＡＣ  ＣＥが生成されている場合（ステップ２０３のＹｅｓ）、制御部１０６は、ＤＬ信号送信部１０１に、ＭＡＣ  ＣＥとＤＬデータを多重して送信させ、タイマ管理部１０５における保留タイマを停止する（ステップ２０４）。
【００５７】
ステップ２０３において、ＭＡＣ  ＣＥが生成されていない場合（ステップ２０３のＮｏ）、制御部１０６は、保留タイマが起動しているかどうかをチェックして（ステップ２０５）、起動していれば（ステップ２０５のＹｅｓ）、ＤＬデータ送信を保留する（ステップ２０６）。
（第３の実施の形態）
＜処理内容＞
次に、第３の実施の形態を説明する。本実施の形態では、ＤＬデータが発生した場合、周期的ＴＡによるＴＡコマンド生成タイミングでなくともＴＡコマンドを生成し、ＤＬデータに多重して送信することとしている。このように、ＴＡコマンド生成タイミングでなくともＴＡコマンドを送信する場合、その直後の周期的ＴＡによるＴＡコマンド送信は中止されてもよい。以下、図９を参照して、本実施の形態に係る制御内容をより具体的に説明する。
【００５８】
本実施の形態では、無線基地局ｅＮＢにおいて、ＴＡコマンドを送信したタイミングで、禁止タイマ（ＰｒｏｈｉｂｉｔＴｉｍｅｒ）を起動する（図９のＡ、Ｂ、Ｃ）。禁止タイマとは、起動してから所定期間が経過するまで起動中で、満了した時点で停止するタイマであり、そのタイマが起動中には、ＤＬデータが発生していてもＴＡコマンドの生成を行わないようにするタイマである（例：図９のＨ）。
【００５９】
図９のＤ、Ｅ、Ｆに示すように、禁止タイマが満了した場合（ＴＡ送信から所定期間が経過した場合）には当該禁止タイマをリセットして停止する。そして、図９のＤの時点の後のＢの時点のように、禁止タイマが起動していない状態で、ＤＬデータが発生した時点で、ＴＡコマンドを生成し、多重して送信する。そして、その直後のＴＡコマンド送信タイマ満了時にはＴＡコマンドを生成しない。ただし、図７に示す例では、ＴＡコマンドを生成した時点（Ｂ等）で、ＴＡコマンド送信タイマを再起動しており、再起動後のＴＡコマンド送信タイマ満了時にはＴＡコマンドを生成する。ただし、これは例であり、通常通りにＴＡコマンド送信タイマの起動、満了を繰り返すこととしてもよい。その場合、上記のように、ＤＬデータが発生した時点で、ＴＡコマンドを生成し、多重して送信した直後のＴＡコマンド送信タイマ満了時にはＴＡコマンドを生成しない。尚、ユーザ装置ＵＥに対してＲａｎｄｏｍ  Ａｃｃｅｓｓ手順を行う場合には、当該禁止タイマは意識されなくともよく、Ｒａｎｄｏｍ  Ａｃｃｅｓｓ手順中のＲａｎｄｏｍ  Ａｃｃｅｓｓ  ＲｅｓｐｏｎｓｅでＴＡコマンドを送信する場合には、当該タイミングから禁止タイマが起動・再起動されてもよいし、Ｒａｎｄｏｍ  Ａｃｃｅｓｓ  Ｒｅｓｐｏｎｓｅで指定するＵＬ  ｇｒａｎｔに対応するＰＵＳＣＨの受信を以て、起動・再起動してもよい。
【００６０】
上記のように、本実施の形態では、禁止タイマが停止しているときに、ＤＬデータが発生した時点で、ＴＡコマンドを生成することとしているが、禁止タイマが停止しているときに、ＤＬデータが発生した時点で、送信可能なビット数（送信可能データ量）が、所定の閾値以上の場合（即ち、ある程度無線品質の良好な場合）に、ＴＡコマンドを生成することとしてもよい。つまり、ＴＡコマンドは優先度が高いので、スケジューリングにより優先的に送信されるが、割り当てビット数が小さい場合には、周期的ＴＡ以外でのＴＡコマンド生成を行わず、無理してＴＡコマンドを送信しないようにする。
【００６１】
＜装置構成、処理フロー＞
第３の実施の形態における無線基地局ｅＮＢの装置構成は図５に示したとおりである。  本実施の形態において、ＵＬ信号受信部１０２は、ユーザ装置ＵＥから各種の上り信号を受信し、受信した物理レイヤの信号からより上位のレイヤの情報を取得する機能を含み、ＤＬ信号送信部１０１は、各種信号を生成し、ユーザ装置ＵＥに対して送信する機能を含む。ＤＬ信号送信部１０１はスケジューラも含む。
【００６２】
ＭＡＣ  ＣＥ生成部１０３は、各種のＭＡＣ  ＣＥを生成する機能を含む。この機能は、周期的にＴＡコマンドを送信する機能も含む。ＤＬデータ滞留量管理部１０４は、ＤＬデータを格納するバッファを備えるとともに、ＤＬデータの発生（ＤＬデータがバッファに格納されたこと）を監視する機能や、ＤＬデータの滞留量を計測し、取得する機能を備える。タイマ管理部１０５は、各種タイマ（第３の実施の形態では、少なくとも、ＴＡコマンド送信タイマ、保留タイマ、禁止タイマ）を備え、その起動、満了等を管理することで、所定期間の計測を行う。制御部１０６は、ＭＡＣ  ＣＥ送信の決定等の送信制御を実行する機能を有する。
【００６３】
上記の構成を備える本実施の形態に係る無線基地局ｅＮＢは、少なくとも、所定の制御信号（ＴＡコマンド等）を周期的タイミングで生成し、ユーザ装置に送信する手段と、下りデータが発生した場合に、前記所定の制御信号を生成し、当該下りデータと当該所定の制御信号とを多重して前記ユーザ装置に送信する送信制御手段と、を備え、前記送信制御手段は、前記所定の制御信号が前記ユーザ装置に送信された時点から所定期間が経過する前に前記下りデータが発生した場合、前記所定の制御信号を生成することなく、当該下りデータの送信を行う。また、前記送信制御手段は、前記所定の制御信号が前記ユーザ装置に送信された時点から前記所定期間が経過した後に下りデータが発生した場合でも、当該下りデータが発生した時点での送信可能データ量が所定の閾値より小さい場合には、前記所定の制御信号を生成しない。
【００６４】
図１０のフローチャートを参照して、第３の実施の形態における無線基地局ｅＮＢの処理手順例を説明する。図１０は、１サブフレームあたりの処理手順を示すものである。また、図１０の処理手順は、周期的ＴＡにおけるＴＡコマンド送信タイミングにおいて、禁止タイマは満了していることを前提としている。また、図１０では、ＴＡコマンドを生成した時点で、ＴＡコマンド送信タイマを再起動している。
【００６５】
制御部１０６は、ＤＬデータ滞留量管理部１０４を参照することにより、ＤＬデータが発生しているか否かを判定する（ステップ３０１）。ＤＬデータが発生している場合（ステップ３０１のＹｅｓ）、制御部１０６は、周期的ＴＡにおけるＴＡコマンド送信タイミングであるかどうかを判定する（ステップ３０２）。周期的ＴＡにおけるＴＡコマンド送信タイミングでない場合（ステップ３０２のＮｏ）、制御部１０６は、タイマ管理部１０５を参照することにより、禁止タイマが起動中か否かを判定する（ステップ３０３）。禁止タイマが起動中でない場合（ステップ３０３のＮｏ）、制御部１０６は、ＭＡＣ  ＣＥ生成部１０３にＴＡコマンドを生成させ、ＴＡコマンドとＤＬデータを多重して送信するとともに、禁止タイマを起動し、ＴＡコマンド送信タイマを再起動する（ステップ３０４）。ステップ３０２において、周期的ＴＡにおけるＴＡコマンド送信タイミングである場合（ステップ３０２のＹｅｓ）においても、ステップ３０４の処理を行う。
【００６６】
ステップ３０３において、禁止タイマが起動中である場合（ステップ３０３のＹｅｓ）、ＴＡコマンドを生成せず、制御部１０６は、ＤＬ信号送信部１０１に発生しているＤＬデータを送信させる（ステップ３０５）。
【００６７】
ステップ３０１において、ＤＬデータが発生していない場合（ステップ３０１のＮｏ）、制御部１０６は、周期的ＴＡにおけるＴＡコマンド送信タイミングであるかどうかを判定する（ステップ３０６）。期的ＴＡにおけるＴＡコマンド送信タイミングであれば（ステップ３０６のＹｅｓ）、制御部１０６は、ＭＡＣ  ＣＥ生成部１０３にＴＡコマンドを生成させ、ＴＡコマンドを送信するとともに、禁止タイマを起動する（ステップ３０７）。
【００６８】
これまでに説明した第１〜第３の実施の形態の技術により、セル内容量の低減を回避することが可能となる。
【００６９】
以上、基本例、変形例、実施の形態等を説明してきたが、開示される発明はそのような実施形態等に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、無線基地局ｅＮＢは機能的なブロック図を用いて説明されたが、そのような装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００７０】
ｅＮＢ  無線基地局
ＵＥ  ユーザ装置
１０１  ＤＬ信号送信部
１０２  ＵＬ信号受信部
１０３  ＭＡＣ  ＣＥ生成部
１０４  ＤＬデータ滞留量管理部
１０５  タイマ管理部
１０６  制御部
【図１】
2014165704.tif 000003
【図２】
2014165704.tif 000004
【図３】
2014165704.tif 000005
【図４】
2014165704.tif 000006
【図５】
2014165704.tif 000007
【図６】
2014165704.tif 000008
【図７】
2014165704.tif 000009
【図８】
2014165704.tif 000010
【図９】
2014165704.tif 000011
【図１０】
2014165704.tif 000012